(57)【要約】【課題】カバーの強度低下を防止し、また防塵対策にも有効とする。【解決手段】正極及び負極の電極端子１２を有する複数の単電池１１からなる単電池群１０に設けられる配線モジュールＭであって、単電池群１０の一面に装着され、隣り合う電極端子１２を接続するバスバー２０が複数個一列に並んで収容されるバスバー収容部７３と、バスバー２０のそれぞれから引き出された検知電線２５が配索される電線配索溝７４とが設けられた絶縁プロテクタ３０と、絶縁プロテクタ３０におけるバスバー収容部７３の開口を閉鎖する収容部カバー１００と、が具備され、かつ、絶縁プロテクタ３０におけるバスバー収容部７３の開口縁には、収容部カバー１００の側縁１０１に弾性的に係止する係止部８０が設けられている。【選択図】図１４
2017107721.tif 000002
【特許請求の範囲】
【請求項１】
正極及び負極の電極端子を有する複数の蓄電素子からなる蓄電素子群に設けられる配線モジュールであって、
前記蓄電素子群の一面に装着され、隣り合う前記電極端子を接続するバスバーが複数個一列に並んで収容されるバスバー収容部と、前記バスバーのそれぞれから引き出された検知電線が配索される電線配索溝とが設けられた絶縁プロテクタと、
前記絶縁プロテクタにおける前記バスバー収容部の開口を閉鎖する収容部カバーと、が具備され、
前記絶縁プロテクタにおける前記バスバー収容部の開口縁には、前記収容部カバーの側縁に弾性的に係止する係止部が設けられている配線モジュール。
【請求項２】
前記絶縁プロテクタには、前記電線配索溝を開閉する電線カバーがヒンジ部を介して回動可能に設けられるとともに、前記電線カバーと係合して同電線カバーを閉鎖位置にロックするロック部が設けられており、かつ閉鎖位置にロックされた前記電線カバーの回動端部が、閉鎖位置に係止された前記収容部カバーで押さえられる請求項１に記載の配線モジュール。
【請求項３】
前記収容部カバーの裏面と前記電線カバーの表面のいずれか一方には凹部が設けられるとともに、いずれか他方には前記凹部に嵌合する凸部が設けられ、互いに嵌合された前記凹部と前記凸部とにより前記収容部カバーの横ずれを規制する位置決め部が形成されている請求項２に記載の配線モジュール。
【請求項４】
前記絶縁プロテクタは、前記バスバー収容部の一部と前記電線配索溝の一部とが設けられた分割プロテクタが複数直接的または間接的に連結された構造であり、前記電線カバーは前記分割プロテクタごとに分割された形態で設けられている一方、前記収容部カバーは前記バスバー収容部を全域に亘って閉鎖可能な単一物として形成されている請求項２または請求項３に記載の配線モジュール。
【請求項５】
前記バスバーには前記検知電線の端末を接続した電線接続部が設けられており、前記電線カバーの裏面には、同電線カバーが閉鎖位置にある状態において、前記バスバーの前記電線接続部の直近に対向する検知部が設けられている請求項２ないし請求項４のいずれか一項に記載の配線モジュール。
【発明の詳細な説明】
【技術分野】
【０００１】
本明細書によって開示される技術は、配線モジュールに関する。
【背景技術】
【０００２】
正極及び負極の電極端子を有する複数の単電池からなる単電池群に設けられる配線モジュールの一例として、下記特許文献１に記載されたものが知られている。特許文献１には、隣り合う電極端子を接続するバスバーが複数個一列に並んで収容されるバスバー収容部と、各バスバーから引き出された検知電線を収容する電線配索溝とが設けられた絶縁プロテクタを備え、同絶縁プロテクタの開口面を絶縁性のカバーで閉鎖した構造が開示されている。
ここで、カバーを閉鎖状態に保持する手段としては、絶縁プロテクタから係止爪を立ち上げ、同係止爪をカバーに開口した係止孔を貫通して表面側の孔縁に係止することで閉鎖状態にロックする構造となっている。
【先行技術文献】
【特許文献】
【０００３】
【特許文献１】特開２０１２−２４３６０８号公報
【発明の概要】
【発明が解決しようとする課題】
【０００４】
しかしながら上記した保持する手段では、カバーに係止孔を開ける必要があるために、カバーの強度低下を招く嫌いがあり、また防塵の面からも芳しくないため、その改良が切望されていた。
本明細書によって開示される技術は、上記のような事情に基づいて完成されたものである。
【課題を解決するための手段】
【０００５】
本明細書によって開示される技術は、正極及び負極の電極端子を有する複数の蓄電素子からなる蓄電素子群に設けられる配線モジュールであって、前記蓄電素子群の一面に装着され、隣り合う前記電極端子を接続するバスバーが複数個一列に並んで収容されるバスバー収容部と、前記バスバーのそれぞれから引き出された検知電線が配索される電線配索溝とが設けられた絶縁プロテクタと、前記絶縁プロテクタにおける前記バスバー収容部の開口を閉鎖する収容部カバーと、が具備され、前記絶縁プロテクタにおける前記バスバー収容部の開口縁には、前記収容部カバーの側縁に弾性的に係止する係止部が設けられている構成である。
【０００６】
上記構成では、収容部カバーがバスバー収容部の開口に被せられると、開口縁から立ち上がった係止部が収容部カバーの側縁に弾性的に係止することで、収容部カバーが閉鎖状態に保持される。収容部カバーを閉鎖状態に保持するに当たり、収容部カバーに係止孔を開口することを回避したから、収容部カバーの強度低下を防止し得るとともに、防塵対策にも有効となる。
【０００７】
また、以下のような構成としてもよい。
前記絶縁プロテクタには、前記電線配索溝を開閉する電線カバーがヒンジ部を介して回動可能に設けられるとともに、前記電線カバーと係合して同電線カバーを閉鎖位置にロックするロック部が設けられており、かつ閉鎖位置にロックされた前記電線カバーの回動端部が、閉鎖位置に係止された前記収容部カバーで押さえられる。
電線カバーが閉鎖位置にロックされたのち、収容部カバーが閉鎖位置に保持されることに伴い、同収容部カバーが電線カバーの回動端部を押さえ、その結果電線カバーが二重係止された状態となる。電線カバーがヒンジ部を介したものでありながらも、より確実に閉鎖位置に保持される。
【０００８】
前記収容部カバーの裏面と前記電線カバーの表面のいずれか一方には凹部が設けられるとともに、いずれか他方には前記凹部に嵌合する凸部が設けられ、互いに嵌合された前記凹部と前記凸部とにより前記収容部カバーの横ずれを規制する位置決め部が形成されている。  収容部カバーが横ずれすることが規制されるために、係止部の不必要な変形が抑制され、係止強度が確保される。凹凸嵌合した位置決め部がラビリンス構造を呈することで、防塵等により有効となる。
【０００９】
前記絶縁プロテクタは、前記バスバー収容部の一部と前記電線配索溝の一部とが設けられた分割プロテクタが複数直接的または間接的に連結された構造であり、前記電線カバーは前記分割プロテクタごとに分割された形態で設けられている一方、前記収容部カバーは前記バスバー収容部を全域に亘って閉鎖可能な単一物として形成されている。
収容部カバーは単一物としたから、分割プロテクタの連結長さにばらつきが出たとしても、バスバー収容部を全長に亘って確実に閉鎖できる。
【００１０】
前記バスバーには前記検知電線の端末を接続した電線接続部が設けられており、前記電線カバーの裏面には、同電線カバーが閉鎖位置にある状態において、前記バスバーの前記電線接続部の直近に対向する検知部が設けられている。
バスバーが正規姿勢で収容されておらず、電線接続部側が浮いた状態に留められていると、電線カバーが閉鎖位置側に回動されたときに検知部が浮いた電線接続部に当たって閉鎖できず、これによりバスバーの装着不良が検知される。
【発明の効果】
【００１１】
本明細書によって開示される配線モジュールによれば、収容部カバーの強度低下を防止し得るとともに、防塵対策にも有効となる。
【図面の簡単な説明】
【００１２】
【図１】実施形態に係る収容部カバーの閉鎖前の状態の斜視図
【図２】同平面図
【図３】同正面図
【図４】同拡大側面図
【図５】図３のV−V線拡大断面図
【図６】電線カバーの閉鎖途中の側面図
【図７】同断面図
【図８】電線カバーが閉鎖された状態の斜視図
【図９】同平面図
【図１０】同正面図
【図１１】同拡大側面図
【図１２】図１０のXII−XII線拡大断面図
【図１３】図１０のXIII−XIII線拡大断面図
【図１４】収容部カバーの装着動作を示す斜視図
【図１５】収容部カバーが閉鎖された状態の斜視図
【図１６】同平面図
【図１７】同正面図
【図１８】同拡大側面図
【図１９】図１６のXIX−XIX線断面図
【図２０】図１７のXX−XX線拡大断面図
【図２１】図１７のXXI−XXI線拡大断面図
【発明を実施するための形態】
【００１３】
＜実施形態＞
実施形態を図１ないし図２１によって説明する。本実施形態に係る配線モジュールＭは、正極及び負極の電極端子１２を有する複数の単電池１１（蓄電素子の一例）を並べてなる単電池群１０（図９参照）の上面に装着され、各単電池１１を直列に電気接続して電池モジュールを構築することに適用されるものである。電極端子１２は、ボルト状をなして立ち上がって設けられている。
【００１４】
配線モジュールＭは一対が備えられ、単電池群１０の上面における一方と他方の側縁部にそれぞれ装着されるようになっている。以下には、一方の配線モジュールＭについて説明する。
配線モジュールＭは概ね、図１４に示すように、合成樹脂製の絶縁プロテクタ３０と、同絶縁プロテクタ３０に保持され、隣り合う単電池１１の電極端子１２（正極端子と負極端子）とを接続する複数のバスバー２０と、各バスバー２０に接続されて引き出された検知電線２５と、バスバー２０の保持部分を覆う収容部カバー１００とを備えて構成されている。
【００１５】
バスバー２０は、導電性に優れた金属板をプレス加工して形成され、詳細には、図１及び図２に示すように、金属薄板を折り返した平面視略長方形の二重板から構成されている。バスバー２０には、一対の丸孔からなる貫通孔２１が所定の間隔を空けて形成されており、貫通孔２１には、単電池１１の電極端子１２がクリアランスを持って挿通可能となっている。
バスバー２０（詳細には下板）の一方の長辺における中央長さ位置には、図１３に示すように、ワイヤバレル２３とインシュレーションバレル２４とからなる電線接続部２２が、直角をなして一体的に形成されている。
【００１６】
本実施形態に係る検知電線２５は、単電池１１の電圧を検知する。検知電線２５は被覆電線であって、その端末において皮剥ぎ処理が施されている。検知電線２５は、図１３に示すように、芯線２６の露出した端末が電線接続部２２のワイヤバレル２３に、残った被覆２７の端末がインシュレーションバレル２４にそれぞれかしめられることで、バスバー２０に電気的に接続され、同バスバー２０から引き出された形態を採るようになっている。
【００１７】
絶縁プロテクタ３０について説明する。絶縁プロテクタ３０は、図１及び図２に示すように、図示３個の分割プロテクタ３１を連結して構成されている。３個の分割プロテクタ３１のうち、後側（図２の右側）の２個の分割プロテクタ３１は同一構造である一方、前端の分割プロテクタ３１Ｘについては、構造が一部異なっている。
以下、３個の分割プロテクタ３１に共通の構造を説明する場合は、「分割プロテクタ３１」として説明し、前端の分割プロテクタ３１Ｘに特有の構造については、「分割プロテクタ３１Ｘ」として別途説明する。
【００１８】
分割プロテクタ３１は、図２に示すように、幅方向の右側（同図の上側）に、バスバー２０が上方から挿入されて収容される収容部３２が、左側（下側）に、検知電線２５が収容される収容溝４４が形成されている。
収容部３２は概ね角筒状に形成されており、共に一枚壁からなる右側壁３３及び前壁３４と、幅広の概ね二重壁からなる左側壁３５とを備える一方、後面は開放されている。左側壁３５は、前端側が前壁３４から前方に突出するようにずれて形成されている。ただし、前端の分割プロテクタ３１Ｘでは、左側壁３５の前端が前壁３４の位置に留まっている。
【００１９】
上記の左側壁３５は、収容部３２の長さ方向の中央部において所定間隔を開けて前後に分断され、長寸の前側の左側壁３５Ｆ（以下、前側左側壁３５Ｆ）内には、詳しくは後記する電線カバー６０をロックするロック部４５と、隣り合う分割プロテクタ３１同士を結合するための係合受け部７１が設けられている。左側壁３５の分断部分には、バスバー２０に突設された上記の電線接続部２２が上方から挿入される有底の接続部挿入溝３６が形成されている。
【００２０】
収容部３２における右側壁３３と左側壁３５の対向面の下端には、図４に示すように、バスバー２０の長辺側の側縁を受ける受け縁３８が突出形成されているとともに、両受け縁３８の中央長さ位置の間に仕切板３９が差し渡されている（図１９参照）。右側壁３３と左側壁３５の対向面には、バスバー２０の長辺側の側縁の上面に弾性的に係止して抜け止めする弾性係止片４０が設けられている。
【００２１】
左側壁３５の外面の下端には、図４に示すように、所定幅の底板４１が外方に向けて突出形成されており、その底板４１の外縁から、柵状壁４２が立ち上がり形成されている。この柵状壁４２と、左側壁３５の左外側面との間に、上記した検知電線２５の収容溝４４が形成されている。
接続部挿入溝３６は、図２に示すように、収容部３２と収容溝４４とに直交した姿勢において、両者を連通するようにして形成されている。
【００２２】
分割プロテクタ３１には、収容溝４４を覆う電線カバー６０が設けられている。電線カバー６０は、図４及び図５に示すように、収容溝４４を構成する柵状壁４２の外面側を覆う側面カバー部６１の先端に、収容溝４４から上記した左側壁３５に亘る上面を覆う上面カバー部６２を直角姿勢で連設した断面Ｌ字形に形成されている。電線カバー６０は、側面カバー部６１の基端縁と、収容溝４４を構成する柵状壁４２の下縁部とがヒンジ部６３を介して連結された形態で、分割プロテクタ３１と一体成形されている。
【００２３】
なお、前端の分割プロテクタ３１Ｘでは、収容溝４４の前端が前壁３４の位置に留まっている関係上、電線カバー６０の前端が同じく前壁３４の位置に留まっている。また、隣り合う電線カバー６０の突き合わせ縁同士では、後方（図２の右側）の電線カバー６０の突き合わせ縁が被さるようにしてオーバラップしている。ただし、上面カバー部６２では、表面が面一をなす形態でオーバラップしている。
各電線カバー６０は、図４及び図５に示す開放位置（成形時位置）から、図１１及び図１２に示す閉鎖位置に向けて、ヒンジ部６３を中心として１８０度回動可能となっている。
【００２４】
続いて、電線カバー６０を閉鎖位置でロックする構造について説明する。電線カバー６０における上面カバー部６２の裏面には、図５に示すように、先端縁寄りの位置において、２本のロック片６５が並んで形成されている（前端の電線カバー６０では１本）。ロック片６５は、先端に爪部６６Ａが形成される一方、爪部６６Ａの背面が傾斜したガイド面６６Ｂとなっている。
【００２５】
一方、上記した前側左側壁３５Ｆ内には、ロック片６５に係止するロック部４５が形成されている。ロック部４５はより詳細には、図５に示すように、前側左側壁３５Ｆ内において、内壁３５Ａ（同図の右壁）と所定間隔を開けて縦壁４６が形成され、その縦壁４６の上端において外方に張り出して形成された段差部４６Ａと、内壁３５Ａの上端部との間に、ロック片６５の爪部６６Ａが挿入される挿入溝４７が形成されている。その挿入溝４７の内壁３５Ａ側の面には、爪部６６Ａに係止する突部４８が突出形成されているとともに、その対向面には曲面形状をなすガイド面４９が形成されている。
【００２６】
すなわち、電線カバー６０が閉鎖位置に向けて回動され、回動の終盤になると、ロック片６５の先端部が、ガイド面６６Ｂ，４９同士が摺接して段差部４６Ａを弾性的に拡げつつ挿入溝４７内に挿入され、閉鎖位置まで回動されると、図１２に示すように、段差部４６Ａが復元変位して挿入溝４７が狭められつつ爪部６６Ａが突部４８に係止した状態に保持され、これにより電線カバー６０が閉鎖位置にロックされた状態となる。
【００２７】
また、電線カバー６０における上面カバー部６２の裏面には、図４に示すように、上記した接続部挿入溝３６内に挿入される検知片６７が突出形成されている。上記のように電線カバー６０が閉鎖位置に回動されたときには、図１３に示すように、検知片６７の先端が、接続部挿入溝３６の底面から所定寸法上方位置に達する設定となっている。より詳細には、バスバー２０が収容部３２内に正規姿勢で収容され、それに伴い（かしめられた）電線接続部２２が接続部挿入溝３６の底面に正規に受けられたときには、検知片６７の先端が、その電線接続部２２の直上の位置まで来る設定となっている。
【００２８】
３個の分割プロテクタ３１は、詳しい説明は省略するが、突き合わせ端縁に設けた係合突部７０と、上記した前側左側壁３５Ｆ内に設けられた係合受け部７１とを係合させることで並んで連結され、これにより絶縁プロテクタ３０が形成される。なお、係合突部７０と係合受け部７１からなる連結構造は、隣り合う分割プロテクタ３１同士が互いに接離方向に移動することを許容し得る構造、すなわち隣り合う分割プロテクタ３１同士の間隔を調節し得る構造となっている。
３個の分割プロテクタ３１が連結されたことに伴い、３個の収容部３２が一列に並んでバスバー収容部７３が形成され、また、３個の収容溝４４が一列に並んで電線配索溝７４が形成されるようになっている。
【００２９】
３個の分割プロテクタ３１が結合された絶縁プロテクタ３０における電線配索溝７４は、その全長が、各分割プロテクタ３１に個別に設けられた３個の電線カバー６０によって閉鎖されるのに対し、バスバー収容部７３については、その全長が、単一物の収容部カバー１００によって閉鎖されるようになっている。
【００３０】
収容部カバー１００は合成樹脂製であって、図１４に示すように、バスバー収容部７３の上面開口（左側壁３５の上面開口を含む）を全域に亘って覆うことが可能な長さと幅とを有する概ね帯板状に形成されている。詳しくは後記するが、図２０に示すように、収容部カバー１００における左側縁部が、上記の閉鎖された電線カバー６０の上面カバー部６２の先端部側に重ねられるようになっている。
【００３１】
収容部カバー１００の形状を詳細に説明する。収容部カバー１００の断面形状は、図２０に示すように、収容部カバー１００の表面における左右の側縁に、それぞれ被係止縁１０１が全長に亘って立ち上がり形成されている。収容部カバー１００の裏面における幅方向の左側縁に寄った位置には、所定幅の位置決め凹溝１０２が全長に亘って形成されている。同収容部カバー１００における位置決め凹溝１０２よりも左側の小幅の平面部（高位面１０３）の方が、右側の大幅の平面部（低位面１０４）よりも、電線カバー６０の上面カバー部６２の厚さ分、高い位置にある。
収容部カバー１００の裏面の右側縁には、絶縁プロテクタ３０におけるバスバー収容部７３（収容部３２）の右側壁３３の内側に挿入される挿入壁１０５が、下向きに突出形成されている。
【００３２】
一方、電線カバー６０の上面カバー部６２の裏面（閉鎖された場合の上面）には、図８に示すように、幅方向の先端寄りの位置と、略中央幅位置とに、それぞれリブ７５が略全長に亘って突出形成されている。外側（図１８の左側）の背の高いリブ７５Ａと、収容部３２の右側壁３３との間隔が、収容部カバー１００の幅に匹敵する寸法に設定されている。内側の背の低いリブ７５Ｂの長さ方向の途中位置の数カ所には、図８に示すように、内側に直角に突出したのち後方に直角曲げされたＬ字形をなす位置決めリブ７６が連設されており、同位置決めリブ７６が、図１８に示すように、上記した収容部カバー１００の裏面の位置決め凹溝１０２内に幅方向において略緊密に嵌合するようになっている。
【００３３】
絶縁プロテクタ３０における前端の分割プロテクタ３１Ｘには、図１及び図５に示すように、前側左側壁３５Ｆの外壁３５Ｂの上縁と、収容部３２を構成する右側壁３３の上縁とから、それぞれ収容部カバー１００の左右の被係止縁１０１に係止する係止片８０が概ね対向して形成されている。係止片８０の上端の対向面にはそれぞれ係止突部８１が形成され、同係止突部８１の下面が切り立った係止面８２Ａであり、上部側が斜めのガイド面８２Ｂとなっている。両係止片８０の上端側は、互いに接離する方向に撓み変位可能である。なお、前端の分割プロテクタ３１Ｘの電線カバー６０における上面カバー部６２には、図７に示すように、電線カバー６０が閉鎖位置に回動された場合に、左側の係止片８０を通して逃がしつつ同電線カバー６０の回動を許容する逃がし窓７７が開口されている。
【００３４】
収容部カバー１００の前端には、同収容部カバー１００を長さ方向の移動を制止した形態で絶縁プロテクタ３０に取り付けるための取付板１１０が形成されている。取付板１１０には、図１４及び図１９に示すように、両側にスリット１１１が入れられることで、係止板１１２が下向きに形成され、詳細には、下端が若干前方に突出した斜め姿勢に予め形成されている。係止板１１２は、下端側が前後方向に撓み変位可能であり、下端の前面には係止突部１１３が形成されている。
【００３５】
一方、絶縁プロテクタ３０における前端の分割プロテクタ３１Ｘの前面には、図１及び図２に示すように、上記した取付板１１０が挿入される扁平な角筒状をなす受容筒部９０が形成されている。受容筒部９０の対向した前後の内面の間には、図２に示すように、取付板１１０における両スリット１１１が挿通可能なガイド壁９１が形成されているとともに、両ガイド壁９１の間の位置には、係止板１１２に係止する係止部９２が形成されている。
係止部９２は、図１９に示すように、板材が受容筒部９０の前側の内面から後方に突出したのち、斜め下向きに屈曲された形状であって、傾斜部９３が、後側の内面との間に所定の間隔を有しているとともに、同傾斜部９３の下縁が、係止板１１２の係止突部１１３に係止可能となっている。また、丸みが付けられた角部がガイド面９４となっている。
【００３６】
続いて、本実施形態の配線モジュールＭを用いた電池モジュールの組み立て手順の一例を説明する。
３個の分割プロテクタ３１を並んで連結することによって絶縁プロテクタ３０を形成する。このときの絶縁プロテクタ３０は、右側縁（図２の上側）に沿ってバスバー収容部７３が、左側縁に沿って電線配索溝７４が互いに平行をなして配された形態であり、また電線カバー６０は開放位置にある。
一方、各バスバー２０に設けられた電線接続部２２に対し、検知電線２５の端末がかしめられて接続される。言い換えると、バスバー２０の一側縁から電線接続部２２を介して検知電線２５が引き出された形態となる。
【００３７】
上記のようなバスバー２０が、バスバー収容部７３を構成する各収容部３２に個別に収容される。バスバー２０は収容部３２内に弾性係止片４０を弾性変位させつつ上方から押し込まれ、併せて電線接続部２２が接続部挿入溝３６に挿入される。図５及び図１９に示すように、バスバー２０の長辺側の両側縁が、収容部３２における右側壁３３と左側壁３５の下端の受け縁３８で、また、長さ方向の中央部が仕切板３９で受けられて押し込みが停止されると、左右の弾性係止片４０が復元変位してバスバー２０の長辺側の側縁の上面に係止し、これによりバスバー２０が抜け止めされて収容部３２内に保持される。併せて図１３に示すように、電線接続部２２が接続部挿入溝３６の底面に載せられ、検知電線２５は、後側（図２の右側）に屈曲されて、電線配索溝７４に沿って後方に向けて配索される。
【００３８】
上記のようにバスバー２０がバスバー収容部７３に収容され、それとともに各バスバー２０から引き出された検知電線２５が電線配索溝７４に収容されたら、電線配索溝７４を閉鎖するべく電線カバー６０が閉じられる。電線カバー６０は、図４及び図５に示す開放位置から、ヒンジ部６３を中心として同図の時計回り方向に閉鎖位置に向けて回動される。ここで、前端の電線カバー６０については、図７に示すように、左側の係止片８０を逃がし窓７７に通して逃がしつつ回動される。
【００３９】
電線カバー６０が閉鎖位置の手前にまで回動されると、上面カバー部６２の先端部裏面に設けられたロック片６５の先端部が、ガイド面６６Ｂ，４９同士の摺接を伴って、ロック部４５における段差部４６Ａを弾性的に拡げつつ挿入溝４７内に挿入される。
電線カバー６０が、上面カバー部６２が左側壁３５の上面に当たる閉鎖位置まで回動されると、図１２に示すように、段差部４６Ａが復元変位して挿入溝４７が狭められつつ爪部６６Ａが突部４８に係止した状態に保持され、これにより電線カバー６０が閉鎖位置にロックされた状態となる。
【００４０】
３枚の電線カバー６０が閉鎖されると、側面カバー部６１が電線配索溝７４を構成する柵状壁４２の外面側を覆うとともに、上面カバー部６２が、電線配索溝７４の上面開口と、二重の左側壁３５の上面開口、さらには接続部挿入溝３６の上方を覆った状態となる。また、図１３に示すように、検知片６７が電線接続部２２の直上位置に達し、電線接続部２２の上方への外れ止めとして機能する。
【００４１】
ここで、仮にバスバー２０が対応する収容部３２に正規に収容されておらず、例えば図１３の鎖線に示すように、電線接続部２２側が浮いた状態に留まっていると、電線カバー６０が閉鎖位置に回動される手前において、検知片６７が浮いた電線接続部２２に当たってそれ以上の回動ができず、これによりバスバー２０が正規に収容されていないことが検知される。そのときは、電線カバー６０を開いて、バスバー２０を改めて正規位置まで押し込み、しかる後、電線カバー６０を閉じて上記の要領でロックすればよい。
以上により、収容部カバー１００を除いた配線モジュールＭの組み立てが完了する。
【００４２】
このように組み立てられた配線モジュールＭが、図９に示すように、単電池群１０の側縁部に沿って載せられる。これに伴い、単電池１１に立てられた電極端子１２が、バスバー２０の貫通孔２１に下方から貫通して上面側に突出する。
なお、単電池１１の組付公差の積算等により、電極端子１２とバスバー２０の貫通孔２１との整合が採れなくなったときは、隣り合う分割プロテクタ３１同士の間隔を調節して、電極端子１２とバスバー２０の貫通孔２１との整合を採るようにすればよい。
続いて、バスバー２０の貫通孔２１に貫通された電極端子１２にナット（図示せず）を螺合して締め付けることにより、隣り合う単電池１１の電極端子１２同士がバスバー２０を介して電気的に接続された状態となる。
【００４３】
ナットの締結作業が完了したら、バスバー収容部７３の上面開口を覆うべく収容部カバー１００が装着される。
手順としては、図１４に示すように、収容部カバー１００を少し前下がりの斜め姿勢として、取付板１１０を受容筒部９０内に挿入したのち、収容部カバー１００を水平に姿勢を変えつつ絶縁プロテクタ３０の上面に向けて押し込む。詳細には、右側の係止片８０を弾性撓みさせつつ、収容部カバー１００の右側縁の挿入壁１０５をバスバー収容部７３の右側壁３３の内側に沿わせるようにして押し込まれ、押し込みの終盤では、左右の被係止縁１０１が左右の係止片８０を弾性的に開いて、左側の被係止縁１０１を電線カバー６０の外側のリブ７５Ａの内側に入れ、また内側のリブ７５Ｂ並びに位置決めリブ７６を位置決め凹溝１０２に嵌めつつ押し込まれる。
【００４４】
図２０及び図２１に示すように、収容部カバー１００の低位面１０４がバスバー収容部７３を構成する収容部３２の前壁３４の上端に当たり、また高位面１０３が電線カバー６０の上面カバー部６２に当たったところで押し込みが停止され、このとき左右の係止片８０が復元変位して、左右の係止突部８１が左右の被係止縁１０１の上端に係止する。
この間、取付板１１０は、スリット１１１にガイド壁９１が嵌って案内されつつ押し込まれ、併せて係止板１１２が弾性変位しつつ、係止部９２の傾斜部９３の後方の間隙に押し込まれ、上記のように収容部カバー１００の押し込みが停止されたところで、図１９に示すように、係止板１１２が復元変位して係止突部１１３が係止部９２の傾斜部９３の下端に係止する。
【００４５】
これにより収容部カバー１００は、バスバー収容部７３の上面開口の全域を覆い、かつ左側縁部の低位面１０３が電線カバー６０の上面カバー部６２を押さえた状態において、上方への外れと長さ方向の移動が制止された状態に保持される。
以上により、本実施形態の配線モジュールＭを用いた電池モジュールの組み立てが完了する。
【００４６】
本実施形態によれば、以下のような効果を得ることができる。
本実施形態では、絶縁プロテクタ３０が３個の分割プロテクタ３１を連結して形成され、したがって各分割プロテクタ３１の収容部３２が一列に並ぶことでバスバー収容部７３が形成されるが、特に隣り合う分割プロテクタ３１同士の間隔を調節可能に、すなわち並び方向に可動に連結される構造であるため、絶縁プロテクタ３０の長さ、すなわちバスバー収容部７３の長さがばらついたり、バスバー収容部７３の途中に隙間ができる可能性がある。それに対して、本実施形態では、上記のバスバー収容部７３を覆う収容部カバー１００が単一物として備えられているから、バスバー収容部７３の長さにばらつきが出たり、途中に隙間ができた場合にも、バスバー収容部７３を全長に亘って確実に閉鎖することができる。
【００４７】
収容部カバー１００を閉鎖状態に係止する構造は、バスバー収容部７３の左右の側縁に立ち上がり形成した一対の係止片８０が、収容部カバー１００の左右の被係止縁１０１にそれぞれ弾性的に係止する構造となっている。この係止構造であると、収容部カバー１００が絶縁プロテクタ３０に対して長さ方向に相対的に移動することを許容しつつ、収容部カバー１００を閉鎖状態に係止することができ、そのため、上記したバスバー収容部７３の長さのばらつき等によらず、その全長に亘って確実に閉鎖する機能を容易に実現できる。
また、従前のカバーに係止孔が開口された係止構造と比較すると、開口の形成が回避された分、収容部カバー１００の強度低下が防止され、また防塵対策にも有効となる。
【００４８】
電線カバー６０が閉鎖位置にロックされたのち、引き続いて収容部カバー１００が閉鎖位置に保持される場合に、収容部カバー１００の左側縁部に設けられた高位面１０３が、電線カバー６０の上面カバー部６２を押さえる構造となっている。すなわち、電線カバー６０は二重係止された状態となり、電線カバー６０がヒンジ部６３を介して回動可能に設けられたものでありながらも、より確実に閉鎖位置に保持することができる。
【００４９】
収容部カバー１００が正規に被着された場合には、図２１に示すように、収容部カバー１００の左右の側縁が、電線カバー６０の外側のリブ７５Ａと、収容部３２の右側壁３３との間で挟まれ、また、収容部カバー１００の裏面の位置決め凹溝１０２内に、電線カバー６０に設けられた位置決めリブ７６（内側のリブ７５Ｂを含む）が嵌った形態となる。これにより、収容部カバー１００が被着されたのち横ずれすることが規制され、係止片８０を徒に弾性変位させることが防止されて係止強度が確保される。また、位置決め凹溝１０２と位置決めリブ７６（内側のリブ７５Ｂを含む）の嵌合部分では、一種のラビリンス構造を呈することとなって、防塵等により有効となる。
【００５０】
図４に示すように、電線カバー６０の上面カバー部６２の裏面には検知片６７が突出形成され、電線カバー６０が閉鎖位置に回動されたときには、検知片６７の先端が、接続部挿入溝３６の底面から所定寸法上方位置に達する構造となっている。そのため、バスバー２０が正規姿勢で収容されておらず、例えば図１３の鎖線に示すように、電線接続部２２側が浮いた状態に留められていると、電線カバー６０が閉鎖位置側に回動されたときに、電線カバー６０の検知片６７が浮いた電線接続部２２に当たって閉鎖できず、これによりバスバー２０が正規に装着されていないことが検知される。
【００５１】
＜他の実施形態＞
本明細書によって開示される技術は上記記述及び図面によって説明した実施形態に限定されるものではなく、例えば次のような実施形態も技術的範囲に含まれる。
（１）電池モジュール（単電池群）を構成する単電池の数については任意であり、配線モジュールについても単電池の個数に応じて適宜形状を変更することができる。
（２）上記実施形態では、単電池の電極端子とバスバーとの位置ずれを吸収するために、絶縁プロテクタが複数の分割プロテクタを可動に連結した構造のものを例示したが、バスバーの貫通孔を長孔にする等の他の手段により位置ずれが吸収できるようになっていれば、分割プロテクタを可動に連結する構造とする必要はない。
（３）上記実施形態では、絶縁プロテクタが、分割プロテクタを直接的に連結することで形成されたものを例示したが、隣り合う分割プロテクタに亘るようにバスバーが配されて、分割プロテクタをバスバーを介して間接的に連結することで形成されているものであってもよい。
（４）さらに、絶縁プロテクタが分割されておらず一体物で形成されている場合にも、本開示技術は適用可能である。
【００５２】
（５）上記実施形態では、検知電線をバスバーから引き出す構造として、バスバーに一体的に設けた電線接続部に検知電線の端末を直接に接続した構造を例示したが、その他、検知電線の端末に設けた検知端子をバスバー上に溶接して固定したものや、同検知端子を締結具の共締めにより固定したものであってもよい。
（６）上記実施形態では、検知電線として電圧検知電線を例示したが、その他、電流検知電線、温度検知電線等の他の検知電線であってもよい。
（７）上記実施形態では蓄電素子として単電池を例示したが、キャパシタであってもよい。
【符号の説明】
【００５３】
Ｍ…配線モジュール
１０…単電池群（蓄電素子群）
１１…単電池（蓄電素子）
１２…電極端子
２０…バスバー
２２…電線接続部
２５…検知電線
３０…絶縁プロテクタ
３１，３１Ｘ…分割プロテクタ
３２…（バスバー２０の）収容部
４４…（検知電線２５の）収容溝
４５…ロック部
６０…電線カバー
６２…上面カバー部
６３…ヒンジ部
６７…検知片（検知部）
７３…バスバー収容部
７４…電線配索溝
７６…位置決めリブ（凸部；位置決め部）
８０…係止片（係止部）
１００…収容部カバー
１０１…被係止縁
１０２…位置決め凹溝（凹部；位置決め部）
１０３…高位面
【図１】
2017107721.tif 000003
【図２】
2017107721.tif 000004
【図３】
2017107721.tif 000005
【図４】
2017107721.tif 000006
【図５】
2017107721.tif 000007
【図６】
2017107721.tif 000008
【図７】
2017107721.tif 000009
【図８】
2017107721.tif 000010
【図９】
2017107721.tif 000011
【図１０】
2017107721.tif 000012
【図１１】
2017107721.tif 000013
【図１２】
2017107721.tif 000014
【図１３】
2017107721.tif 000015
【図１４】
2017107721.tif 000016
【図１５】
2017107721.tif 000017
【図１６】
2017107721.tif 000018
【図１７】
2017107721.tif 000019
【図１８】
2017107721.tif 000020
【図１９】
2017107721.tif 000021
【図２０】
2017107721.tif 000022
【図２１】
2017107721.tif 000023